(57)【要約】  本発明の商品対決方法は、入力部、商品販売先抽出部、対決空間提供部、対決順位決定部、ディスプレイ部、及び恵沢提供部を備える商品対決システムの商品対決方法であって、入力部が特定商品選択の入力を受信する段階と、商品販売先抽出部が特定商品を販売する少なくとも２つの販売先を抽出する段階と、対決空間提供部が抽出された少なくとも２つの販売先間の対決が行われるように対決空間を提供する段階と、提供された対決空間で少なくとも２つの販売先間の対決構図が形成された場合、対決順位決定部が所定時間の間に特定商品に対する販売先のそれぞれの売上高及び商品リンク数のうちの少なくとも１つに基づいて対決順位を決定する段階と、ディスプレイ部が対決時間の経過に応じて少なくとも２つの販売先の対決状況情報を提供する段階と、恵沢提供部が決定された対決順位に対応して恵沢を付与する段階と、を有する。【選択図】図１８
2013527953.tif 000002
【特許請求の範囲】
【請求項１】
入力部、商品販売先抽出部、対決空間提供部、対決順位決定部、ディスプレイ部、及び恵沢提供部を備える商品対決システムの商品対決方法であって、
前記入力部が特定商品選択の入力を受信する段階と、
前記商品販売先抽出部が前記特定商品を販売する少なくとも２つの販売先を抽出する段階と、
前記対決空間提供部が前記抽出された少なくとも２つの販売先間の対決が行われるように対決空間を提供する段階と、
前記提供された対決空間で前記少なくとも２つの販売先間の対決構図が形成された場合、前記対決順位決定部が所定時間の間に前記特定商品に対する前記販売先のそれぞれの売上高及び商品リンク数のうちの少なくとも１つに基づいて対決順位を決定する段階と、
前記ディスプレイ部が対決時間の経過に応じて前記少なくとも２つの販売先の対決状況情報を提供する段階と、
前記恵沢提供部が前記決定された対決順位に対応して恵沢を付与する段階と、を有することを特徴とする商品対決方法。
【請求項２】
前記対決空間を提供する段階は、前記対決空間提供部が前記特定商品をそれぞれ相違する販売条件で販売する少なくとも２つの販売先間の対決が行われるように対決空間を提供することを特徴とする請求項１に記載の商品対決方法。
【請求項３】
前記恵沢を付与する段階は、前記恵沢提供部が販売者及び購買者のうちの少なくとも１つの主体に前記恵沢を提供することを特徴とする請求項１に記載の商品対決方法。
【請求項４】
前記特定商品には該特定商品を販売する販売先サイトがリンクされ、
前記特定商品が選択されて前記販売先サイトにリンクされた場合、前記商品対決システムが前記販売先サイトから所定金額の手数料を徴収する段階を更に含み、
前記所定金額の手数料を徴収する段階は、前記対決空間を提供する段階の後に行われることを特徴とする請求項１に記載の商品対決方法。
【請求項５】
特定商品選択の入力を受信する入力部と、
前記特定商品を販売する少なくとも２つの販売先を抽出する商品販売先抽出部と、
前記抽出された少なくとも２つの販売先間の対決が行われるように対決空間を提供する対決空間提供部と、
前記提供された対決空間で前記少なくとも２つの販売先間の対決構図が形成された場合、所定時間の間に前記特定商品に対する前記販売先のそれぞれの売上高及び商品リンク数のうちの少なくとも１つに基づいて対決順位を決定する対決順位決定部と、
対決時間の経過に応じて前記少なくとも２つの販売先の対決状況情報を提供するディスプレイ部と、
前記決定された対決順位に対応して恵沢を付与する恵沢提供部と、備えることを特徴とする商品対決システム。
【請求項６】
前記販売先のそれぞれは、同一商品に対する販売条件が異なる商品を販売することを特徴とする請求項５に記載の商品対決システム。
【請求項７】
前記恵沢提供部は、販売者及び購買者のうちの少なくとも１つの主体に前記恵沢を提供することを特徴とする請求項５に記載の商品対決システム。
【請求項８】
前記特定商品には該特定商品を販売する販売先サイトがリンクされ、
前記特定商品が選択されて前記販売先サイトにリンクされた場合、前記販売先サイトから所定金額の手数料を徴収することを特徴とする請求項５に記載の商品対決システム。
【発明の詳細な説明】
【技術分野】
【０００１】
本発明は、商品対決方法において、特に同一の商品を販売する複数の販売先（又は販売者）の商品対決方法及びそのためのシステムに関するものである。
【背景技術】
【０００２】
近年、インターネットに対する関心が爆発的に増加している。このような急速な成長により、インターネットは単純なコミュニケーションの補助道具ではなく、営利追求を目的とする商業的活動舞台の一つとして発展しつつある。
【０００３】
このようなインターネット通信及び電子商取引の発展に伴って、インターネットショッピングモールが急激に発展している。また、ＴＶなどを用いて家庭で簡単にショッピングを楽しむことができるテレビ通販のようなショッピングモールも登場している。
【発明の概要】
【発明が解決しようとする課題】
【０００４】
本発明は、上記従来技術に鑑みてなされたものであって、本発明の目的は、同一の商品を販売する複数の販売先間の対決を提供する商品対決方法及びそのためのシステムを提供することにある。
【課題を解決するための手段】
【０００５】
上記目的を達成するためになされた本発明の商品対決方法は、入力部、商品販売先抽出部、対決空間提供部、対決順位決定部、ディスプレイ部、及び恵沢提供部を備える商品対決システムの商品対決方法であって、前記入力部が特定商品選択の入力を受信する段階と、前記商品販売先抽出部が前記特定商品を販売する少なくとも２つの販売先を抽出する段階と、前記対決空間提供部が前記抽出された少なくとも２つの販売先間の対決が行われるように対決空間を提供する段階と、前記提供された対決空間で前記少なくとも２つの販売先間の対決構図が形成された場合、前記対決順位決定部が所定時間の間に前記特定商品に対する前記販売先のそれぞれの売上高及び商品リンク数のうちの少なくとも１つに基づいて対決順位を決定する段階と、前記ディスプレイ部が対決時間の経過に応じて前記少なくとも２つの販売先の対決状況情報を提供する段階と、前記恵沢提供部が前記決定された対決順位に対応して恵沢を付与する段階と、を有することを特徴とする。
【０００６】
上記目的を達成するためになされた本発明の商品対決システムは、特定商品選択の入力を受信する入力部と、前記特定商品を販売する少なくとも２つの販売先を抽出する商品販売先抽出部と、前記抽出された少なくとも２つの販売先間の対決が行われるように対決空間を提供する対決空間提供部と、前記提供された対決空間で前記少なくとも２つの販売先間の対決構図が形成された場合、所定時間の間に前記特定商品に対する前記販売先のそれぞれの売上高及び商品リンク数のうちの少なくとも１つに基づいて対決順位を決定する対決順位決定部と、対決時間の経過に応じて前記少なくとも２つの販売先の対決状況情報を提供するディスプレイ部と、前記決定された対決順位に対応して恵沢を付与する恵沢提供部と、を備えることを特徴とする。
【発明の効果】
【０００７】
本発明による商品対決方法及びそのためのシステムによれば、同一商品を販売する複数の販売先（又は販売者）別にそれぞれ相違する販売条件を提供することによって、購買者が販売先別に提供される販売条件を参照し、より容易で便利に購買を決定することができる。
【図面の簡単な説明】
【０００８】
【図１】本発明の一実施形態によるショッピングモールの提供システムの構成を概略的に示す構成図である。
【図２】本発明の一実施形態によるショッピングモールのサーバシステムの構成を概略的に示すブロック図である。
【図３】本発明の一実施形態によるショッピングモール提供方法の動作を概略的に示すフローチャートである。
【図４】本発明の一実施形態によるカテゴリー別の商品販売対決の構図を概略的に示す図である。
【図５】本発明の一実施形態による挑戦状形式の商品販売対決申請画面の例示図である。
【図６】本発明の一実施形態による推薦者による商品販売対決申請画面の例示図である。
【図７】本発明の一実施形態による１：１の商品販売対決構図の例示図である。
【図８】本発明の一実施形態による販売商品の詳細情報表示の例示図である。
【図９】本発明の一実施形態による商品販売情報を交換するコミュニティの例示図である。
【図１０】本発明の一実施形態による商品販売対決結果の例示図である。
【図１１】本発明の一実施形態による商品販売対決の戦績を管理する画面の例示図である。
【図１２】本発明の一実施形態による商品販売対決をリアルタイムで生中継する画面の例示図である。
【図１３】本発明の一実施形態による個人別戦績管理画面の例示図である。
【図１４】本発明の一実施形態によるテレビショッピングにおける１：１の商品販売対決の放送画面の例示図である。
【図１５】本発明の一実施形態によるインターネットショッピングモールにおける多者間商品販売対決の画面の例示図である。
【図１６】本発明の一実施形態によるテレビショッピングにおける多者間商品販売対決の放送画面の例示図である。
【図１７】本発明の一実施形態による商品対決システムの構成を概略的に示すブロック図である。
【図１８】本発明の一実施形態による同一商品を販売する販売先間の商品対決方法の動作を概略的に示すフローチャートである。
【図１９】本発明の一実施形態によるライバル商品間の１：１の商品対決方法を説明するための図である。
【図２０】本発明の一実施形態による人気検索順位による多者間商品対決方法を説明するための図である。
【図２１】本発明の一実施形態による同一商品を販売するショッピングモール間の商品対決方法を説明するための図である。
【図２２】本発明の一実施形態による投票結果を用いた購買決定方法を説明するための図である。
【図２３】本発明の一実施形態による提携サイトとの相互リンクを通じて対決順位を決定する方法を説明するための図である。
【図２４】本発明の一実施形態による商品対決構図の形成方法を説明するための図である。
【図２５】本発明の一実施形態による人気検索商品の対決構図を自動的に生成する方法を説明するための図である。
【図２６】本発明の一実施形態による商品対決の類型別特徴を比較するためのテーブルを示す図である。
【図２７】本発明の一実施形態による同一商品を販売するショッピングモール間の対決方法を示す図である。
【図２８】本発明の一実施形態によるポータルサイト（広告空間）における特定商品の選択時に、リンクされた対決空間に移動する方法を説明するための図である。
【発明を実施するための形態】
【０００９】
本発明の目的、特徴及び利点は、図面を参照しながら説明する実施形態を通じて明白になる。
【００１０】
以下、本発明を実施するための形態の具体例を、図面を参照しながら詳細に説明する。ここで、図面に示し、またこれによって説明する本発明の構成と作用は、少なくとも１つの実施形態として説明するものであり、これによって本発明の技術的思想とその核心の構成及び作用が制限されるものではない。
【００１１】
本明細書で使用する用語は、本発明における機能を考慮しながら現在広く用いられる一般的な用語を選択したが、これは当分野で従事する技術者の意図又は慣例、新たな技術の出現などによって変わることがある。また、特定の場合は、出願人が任意に選定した用語もあり、この場合、該当する発明の説明部分で詳細にその意味を記載する。従って、本明細書で使用する用語は、単純な用語の名称ではなく、その用語が有する意味と本発明の全般に亘る内容に基づいて定義されなければならない。
【００１２】
本明細書において、ショッピングモールとは、無店舗方式で商品を陳列して販売する商店街を意味する。ショッピングモールは、コンピュータ通信網の仮想の世界で具現されるインターネットショッピングモールを含む。また、ショッピングモールは、放送ケーブル或いは電話線などを通じて具現されるテレビショッピングを含む。
【００１３】
本明細書において、商品販売対決とは、商品販売者間の販売対決を意味する。商品販売対決は、商品販売者間の商品販売量、販売額などを対象に進行する。この時、商品販売者は対決結果から販売対決勝負を判定する。次に、判定された勝負結果に応じて勝者を選定し、商品販売対決の勝者として選定された販売者から特定商品又はサービスを購買した購買者に別途の恵沢を提供する。恵沢は、マイレージの積み立て、追加割引、積立金の支給、及びゲームマネーなどを含む。
【００１４】
本明細書において、商品対決とは、特定商品間の対決を意味する。商品対決は、特定商品間の商品販売量、販売額などを対象に進行する。この時、特定商品を販売する商品販売者は、同一人であり得、また同一人でないこともある。従って、商品対決における行為の主体は商品自体であるため、恵沢もまた商品対決で勝利した商品を販売した販売者、又は該当商品を購買した購買者に付与される。
【００１５】
本明細書において、顧客評価とは、特定商品を評価する評価情報を意味する。顧客評価は購買者を含む。また、顧客評価は、別途の顧客、即ち潜在顧客を含む。顧客評価は、商品評価などを作成する。従って、商品販売対決システム提供サーバは、顧客評価から評価された商品評価などを参考にして、商品に対する商品販売対決の勝負を判定する。以下、商品販売対決システム提供サーバは「サーバ」或いは「ショッピングモール提供サーバ」ともいう。
【００１６】
本明細書において、恵沢とは、商品販売対決で勝利した勝者に支給される別途のボーナスを意味する。恵沢は、積立金の支給、割引クーポンの提供、マイレージの積み立て、景品の提供、及びゲームマネーの提供などを含む。恵沢は、勝利した販売者の販売商品及びサービスを購買した購買者に支給される。
【００１７】
図１は、本発明の一実施形態による商品販売対決システムの構成を概略的に示す構成図である。
【００１８】
図１に示す通り、本実施形態による商品販売対決システムは、第１販売者１１０、第２販売者１２０、推薦者１３０、サーバ１４０、購買者１５０、及び媒体１６０を含んで構成される。
【００１９】
第１販売者１１０及び第２販売者１２０は、ショッピングモールで商品又はサービスを販売する販売者を含む。ショッピングモールは、インターネットショッピングモール及びテレビショッピングモールを含む。第１販売者１１０及び第２販売者１２０は、サーバ１４０にそれぞれ販売しようとする商品又はサービスに関する販売対決を申請する。例えば、第１販売者１１０が、サーバ１４０に販売対決の申請をする。この時、第１販売者１１０はサーバ１４０に、販売対決を進めようとする相手方の販売商品の種類或いはブランド名を通知する。そうすると、サーバ１４０は、第１販売者１１０から通知された販売商品の種類或いはブランド名に基づいて、第１販売者１１０から申請された販売対決のための相手方販売者を検索する。
【００２０】
販売対決のための相手方販売者として第２販売者１２０が検索されると、サーバ１４０は検索された第２販売者１２０に、第１販売者１１０から申請された商品販売対決を提案する。第２販売者１２０によって商品販売対決が承諾されると、第１販売者１１０及び第２販売者１２０は、商品販売対決を進める。この時、承諾された商品販売対決は、直ちに進行するか、或いは関心対決として設定されて別途のデータベース形態で格納及び管理される。データベース形態で格納された関心対決は、販売者の要請によってその後対決が進められる。また、関心対決の場合、関心対決の進行時間を任意に予約することができる。従って、関心対決の予約時間がどのくらい残っているかに応じて通知機能を設定するように具現することもできる。
【００２１】
一方、商品販売対決申請は、販売者だけでなく、推薦者１３０によって行うこともできる。推薦者１３０は、サーバ１４０、購買者１５０、及び一般顧客（図示せず）を含む。例えば、購買者１５０が、サーバ１４０に、第１販売者１１０と第２販売者１２０の商品販売対決を推薦する。この時、第１販売者１１０及び第２販売者１２０は、類似した仕様の商品或いは競合するブランドの商品を販売する販売者である。サーバ１４０は、第１販売者１１０及び第２販売者１２０のそれぞれに推薦者１３０から推薦された商品販売対決を提案する。次に、第１販売者１１０及び第２販売者１２０によって推薦された商品販売対決の進行が受諾されると、サーバ１４０は、第１販売者１１０及び第２販売者１２０の商品販売対決を進行する。この時、サーバ１４０は、進行中の商品販売対決に対する賛成／反対の投票を更に実施し、投票結果を参照して、商品販売対決の進行を決定する。
【００２２】
サーバ１４０は、第１販売者１１０と第２販売者１２０の販売対決を進行及び仲裁する。そしてサーバ１４０は、媒体１６０を通じて販売対決の状況をリアルタイムで中継する。また、サーバ１４０は、販売対決の結果を特定の媒体１６０に転送し、広告することもできる。この時、特定の媒体１６０は、テレビショッピング、ＩＰＴＶ（Ｉｎｔｅｒｎｅｔ  Ｐｒｏｔｏｃｏｌ  Ｔｅｌｅｖｉｓｉｏｎ）、インターネットＵＣＣ（Ｕｓｅｒ  Ｃｒｅａｔｅｄ  Ｃｏｎｔｅｎｔｓ）、マスメディアのサーバなどを含む。特定の媒体１６０は、オンライン及びオフラインを通じて具現される。
【００２３】
従って、第１販売者１１０が商品販売対決を望む第２販売者１２０のブランド及び商品をサーバ１４０に提案し、サーバ１４０を通じて第２販売者１２０の受諾がなされた場合に商品販売対決が行われるので、第１販売者１１０と第２販売者１２０の意見がどちらも反映されるという長所がある。更に、サーバ１４０、購買者１５０、一般顧客（インターネットユーザー）などによって少なくとも２つ以上の販売者（例えば、特定企業）或いはブランドが推薦され、サーバ１４０が投票を通じて商品販売対決が行われるようにするため、顧客が直接参加できるという長所がある。
【００２４】
上述したように、本実施形態によれば、第１販売者１１０及び第２販売者１２０は、販売対決結果に応じて各種の媒体１６０を通じた広告収益を増加させることができる。そして購買者１５０は、媒体１６０を通じて人気販売商品に関する情報の提供を受けることができるという長所がある。
【００２５】
図２は、本発明の一実施形態によるショッピングモール提供サーバの構成を概略的に示す構成図であり、図３は、本発明の一実施形態によるショッピングモール提供方法の動作を概略的に示すフローチャートである。
【００２６】
図２に示す通り、本発明によるショッピングモールサーバシステムは、通信部２１０、制御部２２０、データベース部２３０、及びディスプレイ部２４０を含んで構成される。
【００２７】
通信部２１０は、ショッピングモールサーバと販売者及び購買者間の通信をサポートする。通信部２１０は、商品販売対決が終了した後、商品販売勝負の結果を広告する特定媒体に自動的に連結される。この時、通信部２１０を通じて連結される特定媒体は、テレビショッピング、ＩＰＴＶ、インターネットＵＣＣ、及びマスメディアのサーバなどを含む。また、特定媒体は、オンライン及びオフラインで使用される媒体を含む。
【００２８】
制御部２２０は、商品販売対決の申請を受ける。そして商品販売対決申請によって商品販売対決の構図が成立し、販売者及び購買者間の商品販売が進行して一定時間が経過すると、制御部２２０は、商品販売対決の勝負結果を分析する。この時、勝負結果は、販売実績によって決定される。販売実績は、総商品販売額又は総商品注文額を含む。制御部２２０は、分析された勝負結果に基づいて勝利販売者を選定する。そして選定された勝利販売者に、所定の勝利ボーナスを支給する。制御部２２０は、ディスプレイ部２４０を通じて商品販売対決の状況をリアルタイムで表示するように制御する。また、制御部２２０は、通信部を通じてテレビショッピング、ＩＰＴＶ、インターネットＵＣＣなどの特定媒体に商品販売対決の状況をリアルタイムで中継する。
【００２９】
データベース部２３０は、制御部２２０の制御によって、更新された勝負結果を格納する。従って、データベース部２３０に格納された勝負結果を利用して、販売者の戦績及び購買者の実力を把握することができる。
【００３０】
ディスプレイ部２４０は、制御部２２０の制御によって商品販売対決の状況をリアルタイムで表示する。従って、ディスプレイ部２４０を通じて商品販売対決の状況をリアルタイム中継することができる。
【００３１】
以下、図２の実施形態によるショッピングモール提供サーバの構成を参照して、図３に示す本実施形態によるショッピングモール提供方法を説明する。
【００３２】
図３を参照すると、先ず、ショッピングモール提供サーバシステムの制御部２２０が商品販売対決申請を受け付ける（Ｓ３１０）。ショッピングモール提供サーバシステムの制御部２２０は、第１販売者及び第２販売者を含む少なくとも２つ以上の販売者から、商品販売対決申請を直接受け付ける。また、購買者などの推薦者提案によって受け付けることもできる。この時、受け付けた商品販売対決は直ちに進行するか、或いは関心対決設定されて別途のデータベース形態で格納及び管理される。データベース形態で格納された関心対決は、その後の要請によって対決を進行することができる。また、関心対決の場合、関心対決の進行時間を任意に予約し、予約時間がどのくらい残っているかに応じて通知機能を設定することもできる。
【００３３】
受け付けによって販売対決構図が成立すると、制御部２２０は、販売対決を進行するように制御する（Ｓ３２０、Ｓ３３０）。制御部２２０は、販売者間の販売方式、販売者と購買者間の購買、入金、配送、ＡＳなどを仲裁する。
【００３４】
制御部２２０は、１：１の対決構図で商品販売対決を進行する。また、制御部２２０は、１：１の対抗戦を連続的に実施するサバイバル連勝方式及びトーナメント方式などに対決構図を変更することができる。販売対決構図は、商品販売対決申請時に申請者によって選択される。また、販売対決構図は、制御部２２０から基本的に提供されるショッピングモール提供サーバのフォーマットによって成立することができる。この時、商品対決構図は、ブランド、価格、種類、用途などの商品カテゴリーに応じて成立する。制御部２２０は、対決現況を、ディスプレイ部２５０を通じてリアルタイムでディスプレイするように制御する。そして制御部２２０は、通信部２１０に自動的に連結された特定媒体を通じて、商品販売状況をリアルタイムで中継するように制御する。特定媒体は、特定のＷｅｂサイト、テレビショッピング、ＩＰＴＶ、インターネットＵＣＣなどを含む。
【００３５】
次に、販売対決が進行して一定時間が経過した後、制御部２２０は、対決結果を分析する（Ｓ３４０、Ｓ３５０）。この時、対決結果は、総注文額又は総販売額に基づいて算定される。
【００３６】
次に、制御部２２０は、分析された対決結果に応じて勝利販売者を選定し、勝利販売者の販売商品を購買した購買者に恵沢を付与する（Ｓ３６０、Ｓ３７０）。この時、制御部２２０が購買者に付与する恵沢は、マイレージ及び積立金の積み立て、割引（Ｄｉｓｃｏｕｎｔ）、クーポンの提供、ゲームマネーの提供などを含む。また、制御部２２０は、勝利販売者に勝利ボーナスを更に提供する。勝利ボーナスは、販売手数料の引下げ及び広告の優先権などを含む。この時、１：１の対抗戦、サバイバル連勝戦における勝負判定は、ＫＯ勝ち、判定勝ち、引き分けのうちの１つに決定される。そしてトーナメント戦における勝負判定は、勝点、勝率などによって決定される。
【００３７】
次に、制御部２２０は、対決結果及びボーナスの支給現況をデータベース部２３０に保存更新する（Ｓ３８０）。この時、データベース部２３０に更新された対決結果及びボーナスの支給現況は戦績管理に用いられる。
【００３８】
そして制御部２２０は、通信部２１０を通じて、商品販売対決結果を自動的に連結された特定媒体を通じて広告するように制御する。この時、通信部２１０を通じて連結される特定媒体は、テレビショッピング、ＩＰＴＶ、インターネットＵＣＣ、及びマスメディアのサーバなどを含む。また、特定媒体は、オンライン及びオフラインで使用される媒体を含む。通信部２１０は、超高速インターネット、無線インターネットなどを含む通信方式をサポートする。
【００３９】
一方、他の実施形態として、多者間商品販売対決構図を具現することができる。例えば、１：１の対決構図で商品販売を進行している第１販売者及び第２販売者以外に、第３販売者及び第４販売者を更に追加して多者間商品販売対決を具現する。そして多者間商品販売対決が一定時間進行すると、制御部２２０が、商品販売結果を分析し、多者間商品販売対決を進行した複数の販売者の販売順位を選定する。
【００４０】
次に、制御部２２０は、複数の販売者の販売商品を購買した購買者に、選定された複数の販売者の商品販売順位に対応して差等的に恵沢を付与する。
【００４１】
また、本発明による商品販売対決構図は、カテゴリー別に分けることができる。例えば図４に示すように、カテゴリー別商品販売対決構図は、アイデア別、国家ブランド別、地域縁故別、価格帯別、機能別などを含む。商品販売カテゴリーは、商品販売対決申請時に申請者により申請される内容に従って決定される。また、商品販売カテゴリーは、ショッピングモール提供サーバシステムの基本フォーマットによって決定することができる。
【００４２】
図５は、本発明の一実施形態による挑戦状形式の商品販売対決申請画面の例示図である。
【００４３】
図５に示す通り、本発明による商品販売対決申請は、販売者により直接行われる。販売者は、挑戦状形式の申請書を通じて商品販売対決を申請する。例えば、挑戦状形式の商品販売対決申請書は、販売者によって作成され、商品を販売しようとする第１販売者が挑戦状に自分の名前、商品名、連絡先などを入力する。そして第１販売者は、商品販売対決を望むブランド或いはカテゴリーの商品を更に入力する。そうすると、商品販売対決を管理及び仲裁するショッピングモール提供サーバは、入力された対決を望むブランド或いはカテゴリーに相応する商品を検索し、検索された商品を販売する第２販売者に商品販売対決申請を提案する。
【００４４】
そして第２販売者が挑戦を承諾するか否かに応じて、商品販売対決構図が成立する。この時、他の実施形態として、第１販売者が挑戦状に自分の名前、商品名、連絡先のみを入力した場合、ショッピングモール提供サーバは、第１販売者の商品名によるカテゴリー及びブランドを直接分析して第２販売者を検索することができる。
【００４５】
図６は、本発明の一実施形態による推薦者による商品販売対決申請画面の例示図である。
【００４６】
図６に示す通り、本実施形態による商品販売対決申請は、推薦者の推薦によって行われる。推薦者は、商品販売対決を望む第１販売者自身であってもよい。また、推薦者は、ショッピングモール提供サーバ或いは顧客（購買者及び一般顧客）であってもよい。例えば、ショッピングモール提供サーバは、定期的に商品販売対決構図に関する投票を実施する。そして投票を通じて決定された商品販売構図で商品販売対決を進行する。この時、商品販売対決構図は、ブランド対抗戦、スター商品対抗戦、又は製品種類別対抗戦を含む。また、ショッピングモール提供サーバは、推薦者による商品販売対決推薦をリアルタイムで受信する。従って、ショッピングモール提供サーバは、顧客によって要請される複数商品に対する商品販売対決申請を受け付けることができる。
【００４７】
図７は、本発明の一実施形態による１：１の商品販売対決構図の例示図である。
【００４８】
図７に示す通り、商品販売対決構図は、１：１の対決構図で行われる。１：１の商品販売対決構図は、商品のカテゴリーに応じて成立する。１：１の商品販売対決構図の勝負結果は、判定勝ち、商品の早期売り切れの時に適用されるＫＯ勝ち、引き分けなどを含む。勝負結果、総注文額又は総販売額によって区分され、総注文額又は総販売額に違いが生じる場合は判定勝ち、１つの商品が早期売り切れになった場合はＫＯ勝ち、総注文額又は総販売額が同一な場合は引き分けとして判定する。
【００４９】
１：１の商品販売対決構図において勝利した勝利販売者には、勝利ボーナスを支給する。勝利販売者に支給される勝利ボーナスは、商品販売手数料の引下げ及び広告の優先権などを含む。例えば、上記判定の結果、判定勝ちの場合には価格対比平均１％、ＫＯ勝ちの場合には３％等で、積立金の支給率又は手数料の引下げ率を差別化して適用する。また、ＫＯ負けした販売者の場合、特定期間の間は商品販売対決に参加できないようにペナルティ（Ｐｅｎａｌｔｙ）を賦課する。
【００５０】
また、勝利販売者以外に勝利販売者の商品を購買した購買者にも、恵沢を付与するように具現する。この時、購買者に付与できる恵沢は、マイレージ及び積立金の積み立て、割引（Ｄｉｓｃｏｕｎｔ）適用、クーポンの提供、ゲームマネーの提供などを含む。
【００５１】
１：１の対抗戦を数回実施し、週間別或いは月別の最終勝利販売者を選定することができる。選定された最終勝利販売者には、所定の追加ボーナスをより多く支給する。この時、最終勝利販売者を選定するための方法として連勝勝負方式を採択することができる。連勝勝負方式は、トーナメント戦、サバイバル連勝戦などを含む。また、勝負方式に敗者復活戦、復讐戦などの細部項目を更に含むことができる。
【００５２】
図８は、本発明の一実施形態による販売商品の詳細情報表示の例示図である。
【００５３】
図８に示す通り、本実施形態による販売商品の詳細情報表示は、アイコンをクリックすることによって直ちに実行される。例えば、１：１で進行している商品販売対決の場合、「紅コーナーの商品情報表示」をクリックすると第１販売者の商品に関する詳細な説明が表示される。そして「青コーナーの商品情報表示」をクリックすると、第２販売者の商品に関する詳細な説明が表示される。この時、アイコンの構成は、ショッピングモール提供サーバのフォーマットによって変更される。従って、ショッピングモール提供サーバを通じて商品を購買しようとする購買者は、簡単なボタンのクリックだけで製品に関連した詳細情報を参照できるという長所がある。
【００５４】
図９は、本発明の一実施形態による商品販売情報を交換するコミュニティの例示図である。
【００５５】
図９に示す通り、本実施形態によるコミュニティは、商品販売情報を交換する。例えば、コミュニティは、商品販売に関する質問事項又は追加の要請事項などの書き込みが可能な掲示板を含む。また、掲示板で作成された文に書き込みなどを付けることができるように具現される。そして審判などのアイコンをおいて、商品販売に対する不正行為などの取締りをし、悪意的な文に対する警告状の付与などのアクションを取ることができる。従って、コミュニティを通じて販売者と購買者間の意見及び商品販売交換が円滑に行われるという長所がある。
【００５６】
また、審判の仲裁による公正な商品販売対決が行われる。
【００５７】
図１０は、本発明の一実施形態による商品販売対決結果の例示図である。
【００５８】
図１０に示す通り、本実施形態による商品販売対決の結果は、１ページに表示される。商品販売対決の結果は、勝敗有無、勝負結果、戦績管理などを含む。従って、顧客が望む限りいつでも以前に進行した商品販売対決の結果を参照できるという長所がある。
【００５９】
図１１は、本発明の一実施形態による商品販売対決の戦績を管理する画面の例示図である。
【００６０】
図１１に示す通り、本実施形態による商品販売対決の戦績管理は、顧客別、ブランド別、日付別のカテゴリーに分けられる。戦績管理は、商品販売対決の結果及びボーナスの支給現況を含む。そして戦績に基づいて、販売者別優先順位を付与する。例えば、戦績管理を利用して、最多勝王、ＫＯ王、勝率王などの順位を選定し、選定された順位によって広告及び広報の順序、手数料の節減などの恵沢を優先的に付与する。
【００６１】
図１２は、本発明の一実施形態による商品販売対決をリアルタイムで生中継する画面の例示図である。
【００６２】
図１２に示す通り、本実施形態による商品販売対決の状況は、特定媒体を通じてリアルタイムで中継される。この時、特定媒体は、特定のＷｅｂサイト、テレビショッピング、ＩＰＴＶ、及びインターネットＵＣＣなどを含む。従って、販売者及び購買者がＴＶ又はインターネットなどを通じて、リアルタイムで商品販売対決を把握し参加できるという長所がある。また、特定媒体を通じて商品販売対決結果を広告することによって、広告効果を最大化できるという長所がある。
【００６３】
図１３は、本発明の一実施形態による個人別戦績管理画面の例示図である。
【００６４】
図１３に示す通り、本実施形態による戦績管理画面は、個人別に提供される。従って、販売者或いは購買者が自分の戦績を確認するために、該当のＷｅｂページに自分のＩＤでログインして該当戦績を確認することができる。この時、Ｗｅｂページで提供される戦績は、販売日又は注文日別に提供される。
【００６５】
図１４は、本発明の一実施形態によるテレビショッピングにおける１：１の商品販売対決の放送画面の例示図である。
【００６６】
図１４に示す通り、本実施形態によるテレビショッピングを通じた商品販売対決は、１：１の対決構図で具現される。テレビショッピングは、生放送で進行する。
【００６７】
商品販売対決の進行時間は、テレビショッピング会社との提携によって変わることがある。
【００６８】
商品販売対決の申請は、商品販売者によって行われる。例えば、第１販売者が商品販売対決の申請をした場合、販売対決を望む第２販売者のブランド或いは商品をテレビショッピング運営者に提案する。そうすると、テレビショッピング運営者は、商品販売対決の申請内容を第２販売者に伝達する。次に、第２販売者によって商品対決の申請が受諾されることによって、１：１の商品販売対決が進行する。
【００６９】
一方、１：１の商品販売対決の申請は、テレビショッピング運営者或いは購買者（視聴者を含む）の推薦によって行うことができる。例えば、テレビショッピング運営者或いは購買者が２つのブランド又は商品に対して商品販売対決を推薦する。
【００７０】
テレビショッピング運営者は、推薦されたブランド又は商品の販売者に商品販売対決を提案し、対決の提案を受けた販売者によって１：１の商品販売対決が受諾されると、商品販売対決が進行する。
【００７１】
テレビショッピングを通じて具現される商品販売対決は、１：１の販売対決構図で対抗戦を連続で実施してサバイバル連勝方式及びトーナメント方式などで具現することができる。この時、商品販売対決の結果は、総注文額又は総販売額によって区分される。例えば、商品販売対決の結果は、総販売額に違いが生じる場合は判定勝ち、１つの商品が早期売り切れになった場合はＫＯ勝ち、総注文額又は総販売額が同一な場合は引き分けに判定される。敗者復活戦、復讐戦などの項目を更に含むことができる。
【００７２】
１：１の商品販売対決で勝利した勝利販売者の商品を購買した購買者に恵沢を付与する。該当購買者に付与される恵沢は、マイレージ及び積立金の積み立て、購買金額の割引、クーポンの提供、ゲームマネーの提供などを含む。また、勝利販売者にも勝利ボーナスを支給する。
【００７３】
勝利販売者に支給される勝利ボーナスは、商品販売手数料の引下げ及び広告の優先権などを含む。そして商品販売対決の結果に応じて、購買者の積立金の積み立て率、販売者の手数料の引下げ率などを差別化して適用する。
【００７４】
また、テレビショッピングを通じた商品販売対決の場合、ショーホストが商品販売対決の進行及び仲裁を担当することができる。そして、それぞれの販売者がゲストとして参加してテレビショッピングの進行時に販売製品に対する詳細な説明を提供する。
【００７５】
従って、本発明によるテレビショッピングを通じた商品販売対決は、購買者がリアルタイムで商品に関する情報及び商品販売対決の状況を把握して参加できるという長所がある。
【００７６】
図１５は、本発明の一実施形態によるインターネットショッピングにおける多者間商品販売対決の画面の例示図である。
【００７７】
図１５に示す通り、本実施形態による多者間商品販売対決は、インターネットショッピングを通じて具現される。
【００７８】
先ず、多者間商品販売対決のための申請を受け付けることによって多者間商品販売対決構図が成立すると、多者間商品販売対決構図を成立した複数の販売者が多者間商品販売を進行する。
【００７９】
そして仲裁者が、多者間商品販売の一定時間が経過した後、販売実績に考慮して販売結果を分析する。仲裁者は、ＩＰＴＶ放送を管理するサーバであってもよい。また、仲裁者は、ＩＰＴＶを通じて放送される多者間商品販売対決を進行する別途のショーホストであってもよい。
【００８０】
次に、仲裁者は、分析された販売結果に基づいて、複数の販売者の商品販売順位を選定する。この時、販売者の商品販売順位は、総注文額又は総販売額を基準に選定される。
【００８１】
その後、仲裁者は、複数の販売者の商品を購買した購買者に、選定された商品販売順位に対応して恵沢を差等的に付与する。
【００８２】
この時、購買者に差等的に付与される恵沢は、マイレージ及び積立金の積み立て、割引適用、クーポンの提供、ゲームマネーの提供などを含む。
【００８３】
また、仲裁者は、商品販売順位に対応して複数の販売者に所定の勝利ボーナスを支給する。この時、勝利ボーナスは、販売手数料の引下げ及び広告の優先権などの恵沢を含む。例えば、選定された順位に応じて、上位の順位に該当する販売者に商品販売手数料の引下げ及び広告の優先権などの恵沢を支給する。一方、下位の順位に該当する販売者には、一定期間の販売禁止、相対的に高い手数料率等のペナルティを付与する。
【００８４】
また、他の実施形態として、多者間販売対決は、有線／無線インターネットショッピング、ＩＰＴＶショッピング、及びテレビショッピングなどで具現される。無線インターネットショッピングの場合、携帯電話、ＰＤＡ（Ｐｅｒｓｏｎａｌ  Ｄｉｇｉｔａｌ  Ａｓｓｉｓｔａｎｔｓ）、スマートフォン（Ｓｍａｒｔ  Ｐｈｏｎｅ）、ネットブック（Ｎｅｔ−ｂｏｏｋ）などを含むモバイル機器を通じて具現される。
【００８５】
図１６は、本発明の一実施形態によるテレビショッピングにおける多者間商品販売対決の放送画面の例示図である。
【００８６】
図１６に示す通り、本実施形態による多者間商品販売対決は、テレビショッピングを通じて具現される。テレビショッピングを通じた多者間商品販売対決は、生放送で進行する。この時、多者間商品販売対決の進行に関連する事項は、テレビショッピング企業との提携によって変更されることがある。
【００８７】
先ず、多者間商品販売対決申請の受け付けによって多者間商品販売対決の構図が成立すると、多者間商品販売対決の構図を成立させた複数の販売者は、多者間商品販売を進行する。多者間商品販売対決は、複数の商品販売者のうちの少なくとも１人によって申請される。例えば、総販売者が６人である場合、第１販売者が商品販売対決の申請時に、多者間商品販売対決の項目に５人の商品販売者或いは５つの商品ブランドを記載してテレビショッピング運営者に申請する。そうすると、テレビショッピング運営者は、残りの５人の商品販売者に商品販売対決の申請内容を伝達する。次に、５人の販売者によって商品販売対決の申請が受諾されると、多者間商品販売対決が行われる。
【００８８】
一方、多者間商品販売対決の申請は、テレビショッピング運営者或いは購買者（視聴者を含む）の推薦によって行うことができる。例えば、テレビショッピング運営者或いは購買者が、複数のブランド或いは商品に対して商品販売対決を推薦する。そうすると、テレビショッピング運営者は、推薦されたブランド或いは商品の販売者にそれぞれ多者間商品販売対決を提案し、対決を提案された販売者により多者間商品販売対決が受諾されることによって、多者間商品販売対決が進行する。
【００８９】
次に、多者間商品販売が進行して一定時間が経過した後、テレビショッピング運営者は、複数の販売者のそれぞれの販売実績に基づいて販売結果を分析する。この時、販売結果は、テレビショッピングを通じて多者間商品販売対決を進行する別途のショーホストによって分析することができる。
【００９０】
そしてテレビショッピング運営者は、分析された販売結果に基づいて複数の販売者の商品販売順位を選定する。販売者の商品販売順位は、総注文額又は総販売額を基準に選定される。
【００９１】
次に、複数の販売者の商品を購買した購買者に、選定された商品販売順位に応じて恵沢が差等的に付与される。この時、購買者に差等的に付与される恵沢は、マイレージ及び積立金の積み立て、割引適用、クーポンの提供、ゲームマネーの提供などが含まれる。また、商品販売結果、商品販売順位に応じて、複数の販売者に所定の勝利ボーナスが支給される。勝利ボーナスには、販売手数料の引下げ及び広告の優先権などの恵沢などが含まれる。選定された順位が低い販売者の場合、一定期間下位の順位に該当する販売者には一定期間の販売禁止、相対的に高い手数料率等のペナルティ（Ｐｅｎａｌｔｙ）が付与される。
【００９２】
以下では、本発明の商品対決方法及びそのためのシステムについて説明する。
【００９３】
図１７は、本発明の一実施形態による商品対決システムの構成を概略的に示すブロック図である。ここで、図１７に示す商品対決システムの制御部１７２０は、図２に示したショッピングモール提供サーバの制御部２２０と同一に適用される。また、図１７に示す制御部１７２０の説明において、図２に示したショッピングモール提供サーバの一部構成（例えば、通信部及びデータベース等）に関する説明は省略する。商品対決システムは、ポータルサイトを提供するポータルサイト提供サーバに具備される。
【００９４】
図１７に示す通り、本実施形態による商品対決システムは、同一商品をそれぞれ相違する販売条件で販売する販売先間で行われる商品対決を具現するためのものであり、入力部１７１０及び制御部１７２０で構成される。制御部１７２０は、商品販売先抽出部１７２１、対決空間提供部１７２２、対決順位決定部１７２３、及び恵沢提供部１７２４を含んで構成される。
【００９５】
入力部１７１０は、特定商品の選択入力を受信する。また、入力部１７１０は、特定キーワードの入力を受信することもできる。キーワードは、特定商品を示すキーワードを含む。従って、キーワードが入力されると、商品販売先抽出部が、入力されたキーワードに相応する商品を検索し、検索された商品の販売先を抽出する。キーワード、キーワードに相応する商品情報及び商品販売先情報などは別途のデータベースに格納される。
【００９６】
商品販売先抽出部１７２１は、キーワードに対応する商品を販売する商品販売先（例えば、ショッピングモール等）を抽出する。抽出された商品販売先は、同一の商品を販売する少なくとも２人の販売者である。また、抽出された商品販売先は、同一の商品を販売する少なくとも２つのショッピングモールであり得る。この時、少なくとも２つの販売先は、同一の商品をそれぞれ異なる販売条件で販売する。例えば、第１ショッピングモール、第２ショッピングモール、及び第３ショッピングモールがそれぞれＡという商品を販売する場合、第１ショッピングモールは、無利息で３カ月の分割払いの恵沢を提供するという条件でＡ商品を販売する。第２ショッピングモールは、無料配送に無利息で３カ月の分割払いの恵沢を提供するという販売条件でＡ商品を販売する。また、第３ショッピングモールは、無料配送と割引クーポンの提供などの販売条件でＡ商品を販売する。従って、Ａ商品を購買しようとする購買者は、同一のＡ商品を販売する第１ショッピングモール、第２ショッピングモール、及び第３ショッピングモールの販売条件を比較し、自分に有利な購買を決定することができる。
【００９７】
対決空間提供部１７２２は、抽出された少なくとも２つの販売先間で対決が行われるように対決空間を提供する。即ち、対決空間提供部１７２２は、同一商品を販売する少なくとも２つの販売先間で行われる対決のための対決空間を提供するものであり、対決の主体は商品販売先自体である。例えば、対決空間提供部１７２２によって提供される対決空間は、１：１或いは多者間商品販売先対決を進行するための対決空間を含む。
【００９８】
この時、商品販売先のそれぞれは、同一商品を販売するための販売条件をそれぞれ異なるように提供する。
【００９９】
対決順位決定部１７２３は、提供された対決空間において、販売先間の商品販売対決の構図が形成されて一定時間が経過すると、商品の対決順位を決定する。この時、対決順位決定部１７２３は、該当商品に対する販売先のそれぞれの販売実績に基づいて、対決順位を決定する。即ち、対決順位決定部１７２３は、対決空間提供部１７２２によって提供された対決空間において少なくとも２つの商品間の対決の構図が形成された場合、少なくとも２つの商品に対する売上高などの販売実績に基づいて対決順位を決定する。そして対決順位決定部１７２３は、対決空間提供部１７２２を通じて提供された対決空間において少なくとも２つの販売先間の対決の構図が形成された場合、少なくとも２つの販売先のうちのいずれか１つの販売先にリンクされるクリック数を更に考慮して対決順位を決定することができる。例えば、対決空間は、商品販売先間の対決を進行するサーバであり、広告空間は、商品販売先が販売しようとする商品に対する広告が掲載された特定サーバである。この時、対決空間から広告空間にリンクされる場合を順方向リンクとし、広告空間から対決空間にリンクされる場合を逆方向リンクとして、順方向リンクのクリック又は逆方向リンクのクリックによって与えられる加重値を異にして適用することもできる。
【０１００】
恵沢提供部１７２４は、決定された販売先の対決順位に対応して恵沢を付与する。即ち、恵沢提供部１７２４は、決定された対決順位に対応して複数の販売先に手数料の引下げなどの恵沢を付与する。また、恵沢提供部１７２４は、決定された対決順位に対応して該当販売先で特定商品を購買する購買者に、マイレージ及びポイントの積み立て、割引クーポンの提供、ゲームマネーの支給、景品の提供、景品の抽選などの恵沢を付与する。この時、恵沢提供部１７２４は、対決順位決定部１７２３によって決定された対決順位に応じて、差等的に恵沢を提供する。また、恵沢提供部１７２４は、クリックを行うクリック遂行主体に特定商品の対決順位に対応して恵沢を付与する。即ち、恵沢提供部１７２４は、順方向リンク及び逆方向リンクのクリックを行った主体（例えば購買者、インターネットユーザー及びテレビショッピング視聴者等）にそれに相応する恵沢を提供する。
【０１０１】
一方、本実施形態による商品対決システムは、ポータルサイト内で対決空間を提供するものであり、ポータルサイトにおいて商品対決システムを通じて対決が進行している途中、特定商品が選択されて特定商品の販売先サイトに移動した場合、販売先サイトがポータルサイトに所定金額の手数料を納付するように具現することができる。
【０１０２】
上述したように、本実施形態による商品対決システムは、特定商品をそれぞれ相違する条件で販売する販売先間の対決を進行することによって、購買者が対決結果を参照して容易に購買決定をすることができるという長所がある。また、特定商品を広告するポータルサイト（広告空間）に商品対決システム（対決空間）を具備することによって、特定商品の販売先サイト（例えば、ショッピングモール等）に移動することなく簡便に商品対決を進行することができるという長所がある。
【０１０３】
図１８は、本発明の一実施形態による同一商品を販売する商品販売先間の対決方法の動作を概略的に示すフローチャートである。
【０１０４】
図１８に示す通り、本実施形態による商品販売先間の対決方法は、それぞれ相違する販売条件で同一の商品を販売する商品販売先間で行われる。また、本実施形態による商品販売対決システムは、ポータルサイト内で対決空間を提供するものであり、ポータルサイトにおいて商品対決システムを通じて対決が進行している途中、特定商品が選択されて特定商品の販売先サイトに移動した場合、販売先サイトがポータルサイトに所定金額の手数料を納付するように具現することもできる。
【０１０５】
先ず、特定商品が選択されると、特定商品を販売する複数の販売先が抽出され、抽出された販売先間の対決のための対決空間が提供される（Ｓ１８１０、Ｓ１８２０、Ｓ１８３０）。即ち、特定サイト（例えば、ポータルサイト等）のキーワード入力ウィンドウを通じて、特定商品を検索するためのキーワードが入力されるか、或いは特定の広告空間を通じて広告されている特定商品が選択される。次に、商品販売先抽出部１７２１は、選択或いは入力された特定商品を販売する複数の販売先を抽出する。この時、抽出された複数の販売先は、同一の特定商品をそれぞれ相違する販売条件を提示して販売する。例えば、複数の販売先のそれぞれは、配送料の発生有無、無利息分割払いの月数、割引クーポンの適用などの販売条件を更に提示する。そうすると、対決空間提供部１７２２が、商品販売先抽出部１７２１によって抽出された複数販売先間の対決が行われるように対決空間を提供する。即ち、対決空間提供部１７２２は、商品販売先抽出部１７２１を通じて抽出された商品販売先間の対決が行われるように対決空間を提供するものであり、対決の主体は、商品販売先自体である。この時、対決空間提供部１７２２によって提供される対決空間は、１：１の対決又は多者間対決を進行するための対決空間を含む。
【０１０６】
そして提供された対決空間に販売先間の対決構図が形成されて対決が進行する（Ｓ１８４０、Ｓ１８５０）。次に、一定時間が経過すると、対決順位が決定される（Ｓ１８６０、Ｓ１８７０）。この時、対決順位決定部１７２３は、商品販売先のそれぞれの同一商品に対する販売実績に基づいて対決順位を決定する。即ち、対決順位決定部１７２３は、対決空間提供部１７２２によって提供された対決空間で少なくとも２つの商品販売先間の対決構図が形成された場合、少なくとも２つの商品販売先に対する売上高などの販売実績に基づいて対決順位を決定する。一方、対決順位決定部１７２３は、対決空間提供部１７２２を通じて提供された対決空間で少なくとも２つの商品販売先間の対決構図が形成された場合、少なくとも２つの商品のうちの１つの商品を広告する広告空間で該当商品販売先にリンクされるクリック数、又は該当商品販売先から広告空間にリンクされるクリック数に基づいて対決順位を決定する。例えば、商品販売先は、特定商品を販売するショッピングモールであってもよく、広告空間は、商品販売先を通じて販売される特定商品に対する広告が掲載された特定サーバであってもよい。この時、商品販売先から広告空間にリンクされる場合を順方向リンクとし、広告空間から商品販売先にリンクされる場合を逆方向リンクとして、順方向リンククリック又は逆方向リンククリックによって与えられる加重値を異にして適用することができる。
【０１０７】
恵沢提供部１７２４は、決定された対決順位に応じて恵沢を付与する（Ｓ１８８０）。恵沢提供部１７２４は、決定された対決順位に応じて商品販売先又は商品販売先で販売する商品を購買する購買者に恵沢を付与する。この時、恵沢提供部１７２４は、対決順位決定部１７２３によって決定された順序に従って差等的に恵沢を提供する。また、恵沢提供部１７２４は、人気投票で特定商品を選択した投票参加者が特定商品を購買した場合に、投票参加者にも恵沢を提供することができる。また、恵沢提供部１７２４は、順方向リンク及び逆方向リンククリックを行った主体（例えば、購買者、インターネットユーザー及びテレビショッピング視聴者等）にそれに相応する恵沢を提供することができる。恵沢提供部１７２４によって提供される恵沢は、積立金及びマイレージの積み立て、割引クーポン、景品の提供、ゲームマネーの支給などを含む。
【０１０８】
上述したように、本実施形態による商品対決方法は、特定商品を販売する販売先間の対決を通じて購買者がそれぞれの販売先の販売条件を参照し、より有利な購買決定をすることができるという効果がある。また、特定商品を広告するポータルサイト（広告空間）に商品対決システム（対決空間）を具備することによって、特定商品の販売先サイト（例えば、ショッピングモール等）に移動することなく、簡便に商品対決を進行できるという長所がある。
【０１０９】
図１９は、本発明の一実施形態によるライバル商品間の１：１の商品対決方法を説明するための図である。
【０１１０】
図１９に示す通り、本実施形態によるライバル商品間の１：１の商品対決は、賛成／反対の投票形式で商品対決を進行し、商品対決で勝利した商品を購買した購買者或いは勝利した商品を販売した販売者に恵沢を付与する。また、１：１の商品対決は、定められた時間内で対決が行われる。従って、ライバル商品間に１：１の対決構図が形成された場合、ライバル商品間の対決を一定時間進行し、最高の人気商品（Ｂｅｓｔ  Ｏｆ  Ｂｅｓｔ）を選定することができる。この時、商品対決は、ＫＯ勝ち又は判定勝ちの形態で対決結果が決定される。ＫＯ勝ちは、対決中の商品が完売するか、８０％以上の販売占有率を先に占めた場合である。そして判定勝ちは、対決結果を比率で表す。対決中の商品は、ＫＯ勝ち或いは判定勝ちなどの対決結果に応じて恵沢が差等的に適用される。
【０１１１】
図２０は、本発明の一実施形態による人気検索順位による多者間商品対決方法を説明するための図である。
【０１１２】
図２０に示す通り、本実施形態による人気検索順位によって所定数の人気商品を抽出し、抽出された商品間に多者間商品対決を進行する。
【０１１３】
例えば、ポータルサイトなどの特定サイトを通じて提供されるキーワード入力ウィンドウに「携帯電話」のキーワードが入力されると、入力された「携帯電話」のキーワードに対応するＡ携帯電話、Ｂ携帯電話、Ｃ携帯電話、及びＤ携帯電話などの複数の商品が検索される。この時、Ａ、Ｂ、Ｃ、及びＤ携帯電話は、全体の携帯電話（例えば、５０個の携帯電話）のうちの人気順位で４位内に選定された携帯電話である。即ち、キーワード入力ウィンドウを通じて「携帯電話」のキーワードが入力されると、「携帯電話」のキーワードに対応する携帯電話５０個が検索される。そして検索された５０個の携帯電話のうちの人気順位で１、２、３、４位に該当するＡ、Ｂ、Ｃ、及びＤ携帯電話が抽出される。そうすると、抽出されたＡ、Ｂ、Ｃ、及びＤ携帯電話間で多者間対決構図が形成され、対決が進行する。多者間対決構図は、一定時間進行するものであって、一定時間が経過した後に対決順位が決定される。多者間商品対決の対決順位は、判定勝ちの形態で決定され、決定された対決順位に相応するように恵沢が提供される。例えば、多者間商品対決において対決順位が１位の商品には５０％、２位の商品には３０％、３位の商品には１５％、４位の商品には５％の割合で恵沢が差等的に提供される。
【０１１４】
図２１は、本発明の一実施形態による同一商品を販売するショッピングモール間の商品対決方法を説明するための図である。
【０１１５】
図２１に示す通り、本実施形態による複数のショッピングモールは、同一の商品を販売する際にそれぞれ異なる販売条件を更に提供する。
【０１１６】
即ち、特定商品を販売する複数のショッピングモールであるＡショッピングモール、Ｂショッピングモール、及びＣショッピングモールが存在する。この時、Ａショッピングモールは特定商品に対して１９０００ウォンの価格と無利息で３カ月の分割払いの販売条件を提示し、Ｂショッピングモールは特定商品に対して１８０００ウォンの価格と無料配送の販売条件を提示する。そしてＣショッピングモールは特定商品に対して１８０００ウォンの価格と無料配送及び無利息で３カ月の分割払いの販売条件を提示する。そうすると、提示された販売条件によってそれぞれのショッピングモールが同一商品に対する商品対決を進行する。商品対決は、選好度及び人気度調査などの形態で具現される。次に、商品対決進行の結果、それぞれのショッピングモールの対決順位を決定し、決定された対決順位に対応するように恵沢を提供する。この時、恵沢は、商品を販売する販売者及び商品を購買しようとする購買者に提供される。例えば、販売者に提供される恵沢は手数料の引下げ等の形態で具現され、購買者に提供される恵沢は、ポイント及びマイレージの積み立て、クーポンの提供、景品の抽選、ゲームマネーの支給などの形態で具現される。
【０１１７】
上述したように、本実施形態による同一商品を販売するショッピングモール間の商品対決方法は、購買者が同一商品に対して、ショッピングモール別に異なって提供される商品販売条件に基づき、より容易で便利に購買を決定することができるという長所がある。
【０１１８】
図２２は、本発明の一実施形態による投票結果を用いた購買決定方法を説明するための図である。
【０１１９】
図２２に示す通り、本実施形態による投票結果を用いた購買決定方法は、事前に複数の商品に対する投票を進行することによって、購買者が、進行した投票の結果を参照してより容易に購買決定をすることができる。この時、投票結果は、該当サイトで直接実施された投票の結果である。また、投票結果は、外部（例えば、特定のＷｅｂサイト、特定のリサーチ会社等）から提供された投票結果を含むことができる。即ち、購買者は、投票結果を参照して人気度或いは選好度などの高い製品を容易に認知し、購買に転換できるという長所がある。
【０１２０】
図２３は、本発明の一実施形態による提携サイトとの相互のリンクを通じて対決順位を決定する方法を説明するための図である。
【０１２１】
図２３に示す通り、本実施形態による対決順位は、特定サイトと提携サイトの相互のリンクを通じて決定される。
【０１２２】
即ち、複数の商品間の対決構図が形成された場合、少なくとも２つの商品のうちのある１つの商品を広告する広告空間から対決空間にリンクされるクリック数、又は対決空間から広告空間にリンクされるクリック数に基づいて対決順位を決定する。例えば、対決空間は商品対決を進行する特定サーバであり、広告空間は商品に対する広告が掲載された特定サーバである。この時、対決空間から広告空間にリンクされる場合を順方向リンクとし、広告空間から対決空間にリンクされる場合を逆方向リンクとして、順方向リンククリック又は逆方向リンククリックによって与えられる加重値を異にして適用する。
【０１２３】
上述したように、本実施形態による対決順位の決定方法は、広告空間から対決空間へのリンク又は対決空間から対決空間へのリンクに応じて加重値を異にして適用することによって、それぞれ異なる加重値を適用し、対決順位を更に選別的に決定することができるという長所がある。
【０１２４】
図２４は、本発明の一実施形態による商品対決構図の形成方法を説明するための図である。
【０１２５】
図２４に示す通り、本実施形態による商品対決構図の形状方法は、特定顧客によって任意に選定された商品に対して自動的に対決構図を形成する。即ち、特定顧客が任意に特定商品対決を格納する。次に、一定時間単位で、特定顧客が格納した商品対決に対する対決構図が自動的に生成される。そうすると、特定顧客以外にも第２顧客及び第３顧客などの別途の顧客が、形成された対決構図によって進行する商品対決に参加することができる。
【０１２６】
上述したように、本実施形態による商品対決構図は、特定顧客が予め選定した商品に関する対決構図が形成されて対決が進行した場合、特定顧客以外にも第２顧客及び第３顧客などの別途の顧客を更に参加させ、より活発に対決を進行させることができるという長所がある。
【０１２７】
図２５は、本発明の一実施形態による人気検索商品の対決構図を自動的に生成する方法を説明するための図である。
【０１２８】
図２５に示す通り、本実施形態による人気検索商品の対決構図は、複数の商品の中から所定数の人気検索商品を抽出し、抽出された所定数の人気検索商品を用いて商品対決を進行する。この時、進行する商品対決には別途の顧客が更に参加することができる。
【０１２９】
例えば、特定顧客がキーワード入力ウィンドウに特定キーワードを入力する。そうすると、入力されたキーワードに相応する複数の商品が検索される。この時、検索された複数の商品は、人気順位に応じて自動的に所定数が抽出される。そして抽出された所定数の商品は、自動的に商品対決構図を形成して商品対決が進行する。商品対決は、多者間対決の形態で進行し、進行した商品対決結果によって対決順位が決定される。この時、決定された対決順位に応じて、商品を販売する販売者或いは商品を購買する購買者に恵沢を差等的に付与する。
【０１３０】
上述したように、本実施形態による商品対決方法は、特定キーワードに対する人気検索商品を所定数抽出して自動的に商品対決を進行し、商品対決結果判定された対決順位に相応するように差等的に恵沢を提供する。
【０１３１】
図２６は、本発明の一実施形態による商品対決類型別特徴を比較するためのテーブルを示す図である。
【０１３２】
図２６に示す通り、本実施形態による商品対決類型は、１日の人気検索商品のうちの最高商品を選定するための商品対決、特定カテゴリー別に人気検索商品を選定するための商品対決、及び同一商品を販売する多数のショッピングモール間の商品対決などのための対決構図が形成される。
【０１３３】
１日の人気検索商品のうちの最高商品を選定するための商品対決の場合、１日の間の人気検索商品のうちの最高人気商品（Ｂｅｓｔ  ｏｆ  Ｂｅｓｔ）を選定するための商品対決方式を含む。従って、最高商品を選定するための商品対決の場合、１：１の対決構図を形成して進行する。この時、最高人気商品を選定するための対決は、１日単位で進行する。従って、１日の人気キーワードを用いて自動的に対決構図を形成して対決を進行する。商品対決結果、対決順位は商品購買額に基づいて決定される。そして商品対決の勝利者には、ポイント又は景品の形態の勝利ポイントが支給される。この時、対決は１：１の対決構図で進行するため、１つの商品が売り切れて完売するか、８０％以上占有された場合、商品対決は終了し、該当商品がＫＯ勝ちしたと判定する。
【０１３４】
上述したように、一日の人気検索商品のうちの最高商品を選定するための商品対決は、少なくとも２つの商品間で行われる商品対決を通じて、該当商品を同時に広告し、広告収益を増加させることができるという長所がある。
【０１３５】
また、特定カテゴリー別に人気検索商品を選定するための商品対決の場合、知識検索商品のうちのカテゴリー別最高人気商品を５つ選定して多者間対決構図を形成する。次に、選定された５つの人気商品間で多者間対決を進行する。この時、対決は多者間対決形態を含む。対決は、１日、１週間、又は１カ月などの一定時間単位で進行する。一定時間が経過して対決が終了すると、商品の売上高に基づいて商品間の対決順位を決定する。この時、対決順位を決定するために特定の投票を更に実施することができる。特定の投票は、商品の人気度或いは選好度に関する投票を含む。そして多者間対決を進行する場合には、商品間の判定（ＫＯ勝ちは不可）を通じて対決順位が決定される。上記のように、特定カテゴリー別に人気検索商品を選定するための商品対決の場合、商品対決による好奇心及び面白さによって顧客の参加度を増加させることができるという長所がある。
【０１３６】
また、同一商品を販売するショッピングモール間の商品対決の場合、キーワードを入力して商品を検索することができる。例えば、キーワードは、知識検索商品を検索するためのキーワードを含む。従って、キーワードを入力して商品を検索する場合、販売条件が異なるように設定して同一商品を販売する複数のショッピングモールが検索される。例えば、検索された複数のショッピングモールの特定商品に対する販売価格はいずれも同一である。しかし、複数のショッピングモールのうち、第１ショッピングモールは無料配送を販売条件として更に提供し、第２ショッピングモールは無料配送と同時に５％の割引クーポンを販売条件として更に提供する。また、第３ショッピングモールは５％の割引クーポンと無利息で３カ月の分割払いのの販売条件を提供する。従って、購買者は、複数のショッピングモールのうちの第１ショッピングモール、第２ショッピングモール、及び第３ショッピングモールの販売条件を参照し、自分に有利な販売条件に該当する商品を購買することができる。この時、商品対決時間は任意に設定され、商品購買額又はリンク数などを基準にして商品の対決順位を決定する。また、決定された対決順位によって、ポイント或いは景品の抽選などの勝利ボーナスを差等的に支給する。
【０１３７】
上述したように、対決で勝利した商品を購買した購買者に対決順位に相応する恵沢を提供することによって、顧客の離脱を防止でき、該当商品に対する購買率及び再購買率を増加させることができるという長所がある。
【０１３８】
図２７は、本発明の一実施形態による同一商品を販売するショッピングモール間の対決方法を示す図である。
【０１３９】
図２７に示す通り、本実施形態による同一商品を販売するショッピングモール間で行われる対決は、対決結果判定される対決順位に応じて勝利ボーナスを差等的に提供する。
【０１４０】
キーワード入力ウィンドウを通じて特定キーワードが入力されると、入力されたキーワードに対応する商品が検索される。この時、検索された商品を販売する複数のショッピングモールが一緒に検索される。複数のショッピングモールは、特定商品に対する販売条件をそれぞれ異なるように提供する。
【０１４１】
先ず、キーワード入力ウィンドウに「時計」のキーワードを入力して商品検索を要請する。そうすると、Ａ時計を販売する複数のショッピングモール（Ａ、Ｂ、Ｃ、Ｄ、及びＥショッピングモール）が検索される。この時、複数のショッピングモールのそれぞれは、相違する販売条件を前提にＡ時計を販売する。即ち、検索された複数のショッピングモールは、同一商品に対する販売価格がそれぞれ異なるように設定する。また、検索された複数のショッピングモールは、同一商品に対する無利息分割払い月数、配送料の発生有無などがそれぞれ異なるようにした販売条件を適用して特定商品を販売する。例えば、ＡショッピングモールはＡ時計の販売条件として無利息で２カ月の分割払い及び無料配送のクーポンなどを提供し、ＢショッピングモールはＡ時計の販売条件として価格のみを提示する。
【０１４２】
そしてＣショッピングモールは無利息で３カ月の分割払いと同時に配送料無料のクーポンなどを更に提供し、Ｄショッピングモールは無料配送のクーポンのみを提供する。従って、購買者は、このように提示されたそれぞれのショッピングモール別の販売条件を参照して自分に有利な条件でＡ時計に対する購買を決定する。
【０１４３】
上述したように、複数のショッピングモールのそれぞれが相違する販売条件を適用して特定商品に対する対決構図を形成するため、購買者は、形成された対決構図を参照して自分に有利な販売条件を適用し、商品を販売するショッピングモールから該当商品に対する購買を決定することができる。そして形成された対決構図によって対決が進行した場合、進行した対決結果に相応するようにボーナスの支給などの恵沢の提供を差等的に受ける。
【０１４４】
図２８は、本発明の一実施形態によるポータルサイト（広告空間）における特定商品の選択時に、リンクされた対決空間に移動する方法を説明するための図である。
【０１４５】
図２８に示す通り、本実施形態によるポータルサイトで広告されている特定商品を選択した場合、該当広告空間にリンクされている商品対決空間に移動して商品対決を進行する。
【０１４６】
この時、広告空間から対決空間にリンクされるクリック数、又は対決空間から広告空間にリンクされるクリック数に基づいて、商品間の対決順位を決定する。例えば、対決空間は商品対決を進行する特定サーバであり、広告空間は商品に対する広告が掲載された特定サーバである。この時、対決空間から広告空間にリンクされる場合を順方向リンクとし、広告空間から対決空間にリンクされる場合を逆方向リンクとして、順方向リンククリック又は逆方向リンククリックによって与えられる加重値を異にして適用する。
【０１４７】
上述したように、本実施形態による対決順位決定方法は、広告空間から対決空間へのリンク或いは対決空間から対決空間へのリンクに応じて加重値を異にして適用することによって、それぞれ異なる加重値を適用して対決順位を更に選別的に決定することができるという長所がある。
【０１４８】
以上、本発明の実施形態について図面を参照しながら説明したが、これは本発明の属する技術分野において通常の知識を有する者が容易に理解することができるようにするためのものであって、発明の技術的範囲を制限するためのものではない。従って、本発明の技術的範囲は、特許請求の範囲に記載された事項によって定められ、図面を参照しながら説明した具現例は、本発明の技術的思想と範囲内で多様な変形又は修正が可能である。
【符号の説明】
【０１４９】
１１０    第１販売者
１２０    第２販売者
１３０    推薦者
１４０    サーバ
１５０    購買者
１６０    媒体
２１０    通信部
２２０、１７２０    制御部
２３０    データベース部
２４０    ディスプレイ部
１７１０    入力部
１７２１    商品販売先抽出部
１７２２    対決空間提供部
１７２３    対決順位決定部
１７２４    恵沢提供部
【図１】
2013527953.tif 000003
【図２】
2013527953.tif 000004
【図３】
2013527953.tif 000005
【図４】
2013527953.tif 000006
【図５】
2013527953.tif 000007
【図６】
2013527953.tif 000008
【図７】
2013527953.tif 000009
【図８】
2013527953.tif 000010
【図９】
2013527953.tif 000011
【図１０】
2013527953.tif 000012
【図１１】
2013527953.tif 000013
【図１２】
2013527953.tif 000014
【図１３】
2013527953.tif 000015
【図１４】
2013527953.tif 000016
【図１５】
2013527953.tif 000017
【図１６】
2013527953.tif 000018
【図１７】
2013527953.tif 000019
【図１８】
2013527953.tif 000020
【図１９】
2013527953.tif 000021
【図２０】
2013527953.tif 000022
【図２１】
2013527953.tif 000023
【図２２】
2013527953.tif 000024
【図２３】
2013527953.tif 000025
【図２４】
2013527953.tif 000026
【図２５】
2013527953.tif 000027
【図２６】
2013527953.tif 000028
【図２７】
2013527953.tif 000029
【図２８】
2013527953.tif 000030
【国際調査報告】
2013527953.tif 000031
2013527953.tif 000032
2013527953.tif 000033
2013527953.tif 000034